(57)【要約】【課題】簡単な構成でありながら高い精度で回転機器の不具合の予兆を検出できる、回転機器の監視装置を提供する。【解決手段】本発明の回転機器の監視装置は、回転機器の音を収集する収集部と、音に基づいて、特定指標値に生成する生成部と、特定指標値に基づいて、閾値を算出する閾値算出部と、特定指標値と閾値に基づいて、回転機器の不具合の予兆を検出する検出部と、を備え、生成部は、音を、周波数軸とゲイン軸との関係に変換することで、特定指標値を生成する。【選択図】図２
2018040605.tif 000002
【特許請求の範囲】
【請求項１】
回転機器の音を収集する収集部と、
前記音に基づいて、特定指標値に生成する生成部と、
前記特定指標値に基づいて、閾値を算出する閾値算出部と、
前記特定指標値と前記閾値に基づいて、前記回転機器の不具合の予兆を検出する検出部と、を備え、
前記生成部は、前記音を、周波数軸とゲイン軸との関係に変換することで、前記特定指標値を生成する、回転機器の監視装置。
【請求項２】
前記特定指標値は、離散した複数の特定周波数におけるゲインを基礎とする第１変換値を含む、請求項１記載の回転機器の監視装置。
【請求項３】
前記第１変換値は、１／３オクターブバンド中心周波数における等価騒音レベルの定義で生成される、請求項２記載の回転機器の監視装置。
【請求項４】
前記１／３オクターブバンド中心周波数における等価騒音レベルは、
前記音のゲインに、１／３オクターブバンドフィルタ特性を乗算する乗算処理、
乗算部の結果の二乗平均を算出する算出処理と、
前記二乗平均の単位系を変換する変換処理と、の
演算により生成される、請求項３記載の回転機器の監視装置。
【請求項５】
前記特定周波数は、前記１／３オクターブバンド中心周波数における等価騒音レベルで使用される中心周波数と同等であって、前記回転機器の不具合の予兆を把握することに適した周波数と同等である、請求項３または４記載の回転機器の監視装置。
【請求項６】
前記変換値は、１／１オクターブバンド中心周波数における等価騒音レベルもしくは１／１２オクターブバンド中心周波数における等価騒音レベルの定義で生成される、請求項２記載の回転機器の監視装置。
【請求項７】
前記特定指標値は、前記音を周波数スペクトルレベルに変換して得られる第２変換値を含む、請求項１記載の回転機器の監視装置。
【請求項８】
前記生成部は、前記特定指標値を生成する前に、前記収集部で収集された音の感度補正を行う、請求項１から７のいずれか記載の回転機器の監視装置。
【請求項９】
前記収集部は、前記回転機器の前記音に加えて、前記回転機器からの振動数を合わせて収集する、請求項１から８のいずれか記載の回転機器の監視装置。
【請求項１０】
前記閾値算出部は、所定期間における前記特定指標値の積算値もしくは平均値を、前記閾値として算出する、請求項１から９のいずれか記載の回転機器の監視装置。
【請求項１１】
前記所定期間は、前記検出部が検出するのに用いる前記特定指標値の基礎となる前記音が収集されるタイミングから一定時間前の期間である、請求項１０記載の回転機器の監視装置。
【請求項１２】
前記所定期間は、予め定められたタイミングに基づく期間である、請求項１０記載の回転機器の監視装置。
【請求項１３】
前記検出部は、前記特定指標値と前記閾値の比較に基づいて、複数の段階で、前記不具合の予兆を検出する、請求項１から１２のいずれか記載の回転機器の監視装置。
【請求項１４】
前記複数の段階は、注意、警告の段階を含む、請求項１３記載の回転機器の監視装置。
【請求項１５】
前記検出部が検出した結果を通知する通知部を更に備える、請求項１から１４のいずれか記載の回転機器の監視装置。
【請求項１６】
前記回転機器は、冷凍機、熱交換器、ポンプ、モーター、コンプレッサーの少なくとも一つであり、独立して動作する場合もしくは他の機器に組み込まれて動作する場合とを有する、請求項１から１５のいずれか記載の回転機器の監視装置。
【発明の詳細な説明】
【技術分野】
【０００１】
本発明は、工場や各種施設で使用される回転機器の異常や故障の予兆を遠隔で監視できる、回転機器の監視装置に関する。
【背景技術】
【０００２】
多くの工場や各種施設においては、回転機器が使用されている。回転機器は、例えば、冷凍機、熱交換器、ポンプ、モーター、コンプレッサーなどの回転動作を用いて、空気の蓄積や、熱量の交換などを行う機器である。すなわち、回転機器とは、これらの例に挙げた機器を包含した概念である。
【０００３】
工場では、製造ラインにおいて圧縮空気を用いた作業工程を有することが多い。あるいは、動作の切り替えを行うスイッチに空気圧を用いることも多い。このため、工場においては、空気の蓄積や空気の交換などを行うための回転機器が、そのまま、あるいは他の機器への組み込みによって使用されることが多い。もちろん、空調のための熱交換器としての回転機器が用いられることも多い。これは、工場だけでなく、各種の施設でも同じである。
【０００４】
工場の規模の大小にかかわらず、このような回転機器は、様々な場所で多種多様に使用されている。加えて、工場の製造ラインや空調などのように、工場や各種施設の中でも、重要な機能を発揮する装置に使用されていることが多い。このため、回転機器が不具合を生じたり故障となってしまったりすると、工場での作業が中断や停止となってしまうなどのシビアな問題につながりかねない。
【０００５】
加えて、回転機器は、高価であることが多く、故障等による修理や交換のコストが高くなる問題がある。特に、回転機器は、他の機器や装置に組み込まれて使用されていることが多く、この場合には、その修理や交換に要するコストや手間が大きくなる問題がある。
【０００６】
このとき、回転機器の不具合が進行しすぎていると、修理の必要性やレベルが高くなり、上述のように修理のコストや手間が大きくなる。他の機器から取り外すことなども必要となりうるからである。もちろん、交換が必要となることもあり、この場合にも大きなコストが生じてしまう。
【０００７】
工場や各種施設においては、このような修理や交換による過大なコストや手間を負担することは好ましくない。また、回転機器の修理や交換に必要となる期間が長くなれば、工場の稼働を縮小するなどの必要が生じ、これも好ましくない。
【０００８】
このような回転機器の不具合によって、修理や交換などに関わる手間、コスト、時間による損害を防止するには、回転機器の異常や故障の予兆を早期に検出できることが好ましい。異常や故障の予兆を早期に検出できることで、シビアな故障に至る前に、対応することができるからである。この対応ができれば、修理や交換のコストが低減できるだけでなく、対応時間も短くて済み、工場の稼働減少などに関わる問題を軽減できるからである。
【０００９】
このような回転機器の異常や故障の予兆を検出するために、人力によるアナログな作業が行われている。いわゆる職人的技能を有するベテランの技能者が、回転機器の音を自身の耳で聞き、回転機器の音にいつもと違い異常音を把握することで、予兆を検出する。ベテランの技能者は、長年の経験の蓄積によって、回転機器の音を聞きながら、異常音を聞き出すことができる。
【００１０】
この異常音は、回転機器の異常や故障などの不具合の予兆であることが多く、技能者が異常音を聞き出すことで、回転機器の不具合を早期検出できる。早期検出できれば、早期の対応が可能となり、上述のように、低コスト、低負担、低期間での対応が可能となる。
【００１１】
一方で、技能者の技能に依存せず、機械的・電気的技術を用いた機器の異常検出を行う技術も提案されている（例えば、特許文献１、特許文献２参照）。
【先行技術文献】
【特許文献】
【００１２】
【特許文献１】特開２０００−２５９２２２号公報
【特許文献２】特開２０１１−１５４０２０号公報
【発明の概要】
【発明が解決しようとする課題】
【００１３】
特許文献１は、機器にその状態変化を二次的に捉えることのできる多次元のセンサを配置し、センサ群からの情報を基に、機器の状態変化や保守管理を実現する管理機器を配置し、センサからの情報により、管理機器内に具備された機器の劣化診断と速度予測する計算手段にて、機器の状態の監視やその状態変化を予測し、さらにその結果を管理機器の表示手段にて開示し、管理機器にはこれらのデータを保存・蓄積するデータサーバ部を具備し、管理機器に具備した入力手段にて、この情報の編集・追加・登録をできるように構成する機器監視システムを開示する。
【００１４】
特許文献１は、様々な機器に多種多様な数多くのセンサを取り付けて機器の保守管理を行う技術を開示している。人力によるアナログな対応とは異なり、自動化されている。
【００１５】
しかしながら、特許文献１の技術は、多種多様なセンサを数多く使用するので、検出項目および判定項目が複雑になりすぎる問題がある。複雑になりすぎることで、導入コストおよびランニングコストが大きすぎる問題がある。また、検出項目や判定項目が多くて複雑であると、機器の異常を予兆することが却って難しくなる問題もある。複雑であれば、将来的な問題となりうる異常を見出すことも難しくなったり、監視者がシビアに考えなくなってしまったりといった、人的問題にもつながりかねない。
【００１６】
また、特許文献１は、マハラノビスの距離を利用した問題検出を行うが、この空間定義があいまいになりやすく、問題の予兆の検出精度にあいまいさが生じてしまう問題がある。検出精度が曖昧であれば、やはり異常を見逃してしまう問題にもつながりかねない。
【００１７】
特許文献２は、実効値演算部が、振動センサを用いて測定された軸受けの振動波形の実効値を算出する。エンベロープ処理部は、振動センサを用いて測定された振動波形にエンベロープ処理を行うことによって振動波形のエンベロープ波形を生成する。実効値演算部は、エンベロープ処理部によって生成されたエンベロープ波形の交流成分の実効値を算出する。診断部は、実効値演算部によって算出された振動波形の実効値および実効値演算部によって算出されたエンベロープ波形の交流成分の実効値に基づいて軸受けの異常を診断する、転がり軸受の異常診断装置を開示する。
【００１８】
特許文献２は、振動を用いた異常検出を開示する。
【００１９】
しかしながら、特許文献２は、軸受けを監視することしかできない問題がある。工場や各種施設に多く使用されている回転機器の異常検出には利用できない。また、軸受けにおける振動は、その部位によって振動数の現れ方が異なるので、振動センサの取付け位置や取付け数が少ない場合には、検出する振動数にばらつきが生じ、正確な異常検出ができない問題がある。
【００２０】
以上をまとめると、従来技術では次のような問題があった。
【００２１】
（問題１）複雑すぎることで、導入コスト、ランニングコストが大きくなる。
【００２２】
（問題２）複雑あるいは観測対象によって、正確な異常検出ができない。
【００２３】
（問題３）回転機器に最適な異常検出ができない。
【００２４】
（問題４）複雑であることで、運用の難しさがあり、最終的な運用と判断を行う人的エラーが生じうる。
【００２５】
本発明は、これらの課題に鑑み、簡単な構成でありながら高い精度で回転機器の不具合の予兆を検出できる、回転機器の監視装置を提供することを目的とする。
【課題を解決するための手段】
【００２６】
上記課題に鑑み、本発明の回転機器の監視装置は、回転機器の音を収集する収集部と、
音に基づいて、特定指標値に生成する生成部と、
特定指標値に基づいて、閾値を算出する閾値算出部と、
特定指標値と閾値に基づいて、回転機器の不具合の予兆を検出する検出部と、を備え、
生成部は、音を、周波数軸とゲイン軸との関係に変換することで、特定指標値を生成する。
【発明の効果】
【００２７】
本発明の回転機器の監視装置は、シンプルな構成でありながら、高い精度で回転機器の不具合の予兆を検出できる。特に、回転機器の音を使用することで、従来の技能者が行っていた監視と同様であり、設置されて稼働している回転機器の現場状況に合わせた予兆の検出ができる。結果として、これまでの経験値を含んだ検出ができ、実際に即した予兆検出ができる。
【００２８】
また、音を用いることで、回転機器全体のいずれかの部位のみの問題であっても、確実に検出できる。
【００２９】
音を基準としつつ、判断基準の指標を回転機器に合わせて生成できるので、検出精度が高い。また、遠隔での監視もできるので、人的作業の負担を軽減できる。
【図面の簡単な説明】
【００３０】
【図１】本発明の実施の形態１における回転機器と回転機器の監視装置の全体概要図である。
【図２】本発明の実施の形態１における監視装置のブロック図である。
【図３】本発明の実施の形態１における時間軸とゲイン軸との関係で示される音データのグラフである。
【図４】本発明の実施の形態１における周波数軸とゲイン軸との関係で示される音データのグラフである。
【図５】本発明の実施の形態１における特定指標値を示すグラフである。
【図６】１／３オクターブバンドフィルタの概念図である。
【図７】１／３オクターブバンドフィルタの中心周波数と通過帯域を示す。
【図８】本発明の実施の形態１における１／３オクターブバンド中心周波数における等価騒音レベルの一例を示すグラフである。
【図９】本発明の実施の形態１における閾値算出部での閾値の算出を示す模式図である。
【図１０】本発明の実施の形態１における検出部での検出を示す模式図である。
【図１１】本発明の実施の形態１における実際の処理結果を示すグラフである。
【図１２】本発明の実施の形態１における周波数スペクトルレベルのグラフである。
【図１３】本発明の実施の形態２における監視装置のブロック図である。
【発明を実施するための形態】
【００３１】
本発明の第１の発明に係る回転機器の監視装置は、回転機器の音を収集する収集部と、
音に基づいて、特定指標値に生成する生成部と、
特定指標値に基づいて、閾値を算出する閾値算出部と、
特定指標値と閾値に基づいて、回転機器の不具合の予兆を検出する検出部と、を備え、
生成部は、音を、周波数軸とゲイン軸との関係に変換することで、特定指標値を生成する。
【００３２】
この構成により、回転機器の不具合の予兆を、音を基点として高い精度で検出できる。
【００３３】
本発明の第２の発明に係る回転機器の監視装置では、第１の発明に加えて、特定指標値は、離散した複数の特定周波数におけるゲインを基礎とする第１変換値を含む。
【００３４】
この構成により、音の変化を定量的に解析して、回転機器の不具合を検出できる。この検出は、人的な作業のアルゴリズムに近く、精度が高い。
【００３５】
本発明の第３の発明に係る回転機器の監視装置では、第２の発明に加えて、第１変換値は、１／３オクターブバンド中心周波数における等価騒音レベルの定義で生成される。
【００３６】
この構成により、音の変化を定量的に解析して、回転機器の不具合を検出できる。特に、騒音を把握するモデルを利用することで、回転機器の不具合を高い精度で検出できる。
【００３７】
本発明の第４の発明に係る回転機器の監視装置では、第３の発明に加えて、１／３オクターブバンド中心周波数における等価騒音レベルは、音のゲインに、１／３オクターブバンドフィルタ特性を乗算する乗算処理、乗算部の結果の二乗平均を算出する算出処理と、二乗平均の単位系を変換する変換処理と、の演算により生成される。
【００３８】
この構成により、収集した音から１／３オクターブバンド中心周波数における等価騒音レベルを算出できる。
【００３９】
本発明の第５の発明に係る回転機器の監視装置では、第３または第４の発明に加えて、特定周波数は、１／３オクターブバンド中心周波数における等価騒音レベルで使用される中心周波数と同等であって、回転機器の不具合の予兆を把握することに適した周波数と同等である。
【００４０】
この構成により、収集した音から１／３オクターブバンド中心周波数における等価騒音レベルを算出できる。
【００４１】
本発明の第６の発明に係る回転機器の監視装置では、第２の発明に加えて、変換値は、１／１オクターブバンド中心周波数における等価騒音レベルもしくは１／１２オクターブバンド中心周波数における等価騒音レベルの定義で生成される。
【００４２】
この構成により、高いバリエーションで、特定指標値を算出できる。
【００４３】
本発明の第７の発明に係る回転機器の監視装置では、第１の発明に加えて、特定指標値は、音を周波数スペクトルレベルに変換して得られる第２変換値を含む。
【００４４】
この構成により、周波数スペクトルの特性に応じて、回転機器の不具合の予兆を検出できる。
【００４５】
本発明の第８の発明に係る回転機器の監視装置では、第１から第７のいずれかの発明に加えて、生成部は、特定指標値を生成する前に、収集部で収集された音の感度補正を行う。
【００４６】
この構成により、特定指標値の生成の精度を上げることができる。
【００４７】
本発明の第９の発明に係る回転機器の監視装置では、第１から第８のいずれかの発明に加えて、収集部は、回転機器の音に加えて、回転機器からの振動数を合わせて収集する。
【００４８】
この構成により、より幅広い特定指標値を基にして、回転機器の不具合の予兆を検出できる。
【００４９】
本発明の第１０の発明に係る回転機器の監視装置では、第１から第９のいずれかの発明に加えて、閾値算出部は、所定期間における特定指標値の積算値もしくは平均値を、閾値として算出する。
【００５０】
この構成により、実際に測定されて得られる特定指標値の積み重ねを閾値とできる。この閾値により、実際の回転機器を基準とした不具合の判定を行える。
【００５１】
本発明の第１１の発明に係る回転機器の監視装置では、第１０の発明に加えて、所定期間は、検出部が検出するのに用いる特定指標値の基礎となる音が収集されるタイミングから一定時間前の期間である。
【００５２】
本発明の第１２の発明に係る回転機器の監視装置では、第１０の発明に加えて、所定期間は、予め定められたタイミングに基づく期間である。
【００５３】
これらの構成により、実際の回転機器の状態を基礎とした閾値を算出できる。特に、正常な動作をしていると考えられる期間に閾値が算出されるので、不具合の予兆を検出するのにふさわしい閾値が算出できる。
【００５４】
本発明の第１３の発明に係る回転機器の監視装置では、第１から第１２のいずれかの発明に加えて、検出部は、特定指標値と閾値の比較に基づいて、複数の段階で、不具合の予兆を検出する。
【００５５】
この構成により、複数の段階での判断により、より使い勝手の良い判定結果を受けることができる。
【００５６】
本発明の第１４の発明に係る回転機器の監視装置では、第１３の発明に加えて、複数の段階は、注意、警告の段階を含む。
【００５７】
この構成により、検出の結果を、有用に使うことができる。
【００５８】
本発明の第１５の発明に係る回転機器の監視装置では、第１から第１４のいずれかの発明に加えて、検出部が検出した結果を通知する通知部を更に備える。
【００５９】
この構成により、検出結果を、即座に把握できる。
【００６０】
以下、図面を参照しながら、本発明の実施の形態を説明する。
【００６１】
（実施の形態１）
【００６２】
（全体概要）
図１は、本発明の実施の形態１における回転機器と回転機器の監視装置の全体概要図である。図１には、回転機器１００と、これを監視する回転機器の監視装置１とが表されている。
【００６３】
回転機器１００は、従来技術で説明したように、様々な装置、設備において使用されていたり、組み込まれていたりする回転によって所定の機能を実行する機器である。様々な態様で実現されており、例えば、冷凍機、熱交換器、ポンプ、モーター、コンプレッサーの少なくとも一つとして使用されている。もちろん、これら以外であっても、回転によって所定の機能を実行できるものであればよい。
【００６４】
回転機器１００は、動作において音を発生する。回転機器の監視装置１（以下、必要に応じて「監視装置１」と略す）は、この音を収集して、所定の処理を行って、回転機器１００を監視できる。監視装置１は、収集部３とサーバー４を備える。
【００６５】
収集部（集音装置）３は、回転機器１００の音を収集できる。収集部３は、収集した回転機器１００の音のデータをサーバー４に出力する。サーバー４は、電子計算機などの演算処理を実行できる機器であり、音のデータに基づいて、回転機器１００の状態を判断できる。
【００６６】
ここで、サーバー４は、複数の収集部３（複数の回転機器１００）をまとめて管理する態様でもよい。あるいは、一つの収集部３に対応する態様でもよい。また、離隔している、離隔していない、のいずれの態様でもよい。
【００６７】
このような態様であるので、収集部３で収集された音データは、サーバー４に出力されてサーバー４で記憶されてもよいし、収集部３の備える記憶装置で記憶されてもよい。音データの大きさ、回転機器１００の形態や数、収集部３の記憶容量、監視装置１での監視処理の都合などによって、収集部３で収集された音データは、サーバー４で記憶されても、収集部３で記憶されてもよく、適宜実行されればよい。
【００６８】
このとき、収集部３は、回転機器１００より一定の距離を有して設置されてもよい。また、収集部３とサーバー４とは、離隔して設置されてもよい。このような構成により、監視装置１は、回転機器１００と遠隔の場所であっても、その状態を監視できる。
【００６９】
実施の形態１における監視装置１は、回転機器１００と、図１のような位置関係と構成を有している。この構成によって、回転機器１００の監視を行える。回転機器１００は、上述の通り、様々な設備に組み込まれており、監視装置１によってこれらが監視できる。
【００７０】
図２は、本発明の実施の形態１における監視装置のブロック図である。
【００７１】
監視装置１は、収集部３、生成部５、閾値算出部６、検出部７と、を備える。収集部３は、回転機器１００の音を収集する。生成部５は、収集部３で収集された音に基づいて、特定指標値を生成する。閾値算出部６は、特定指標値に基づいて、閾値を算出する。検出部７は、特定指標値と閾値に基づいて、回転機器１００の不具合の予兆を検出する。
【００７２】
ここで、生成部５は、収集部３で収集された音を、周波数軸とゲイン軸との関係に変換することで、特定指標値を生成できる。回転機器１００が生じさせる音は、時間軸とゲイン軸との関係で表される。この音（音データ）を、生成部５は、周波数軸とゲイン軸（大きさ）の関係に変換する。この周波数軸とゲイン軸の関係に変換された音データを、特定指標値として取り扱う。
【００７３】
例えば、時間軸と周波数軸との違いを、図３、図４を用いて説明する。図３は、本発明の実施の形態１における時間軸とゲイン軸との関係で示される音データのグラフである。図４は、本発明の実施の形態１における周波数軸とゲイン軸との関係で示される音データのグラフである。
【００７４】
収集部３は、回転機器１００が生じさせる音を収集する。この収集によって音データを得る。収集部３での収集は、回転機器１００の発生させる音をそのまま収集するので、時間経過に合わせて音を収集する状態である。このため、収集部３で収集された音データは、図３のように、時間軸とゲイン軸との関係で示される態様である（ゲイン軸は、音データの振幅と考えてもよい）。
【００７５】
生成部５は、図３に示される音データを、周波数軸とゲイン軸との関係に変換する。変換した後の状態が、図４のような態様である。周波数軸とゲイン軸との関係で音データが表されることで、回転機器１００の発生させる音データを、周波数のそれぞれの領域で把握することができるようになる。
【００７６】
この周波数軸とゲイン軸との関係となった音データを基にして、生成部５は、特定指標値を生成できる。図４は、特定指標値の前提となる音データを示していると言える。
【００７７】
なお、説明の容易性のために、図３をヒストグラムで示している。実際には、曲線グラフとして表されることが多いが、音データの関係を把握するために、ヒストグラムとして表している。
【００７８】
特定指標値は、検出部７において、回転機器１００の不具合の予兆を検出するために用いられる。特定指標値は、大きさを有した値であるので、この値を判定して、予兆を検出することができる。このとき、図４のように周波数軸とゲイン軸との関係に変換された音データを基にすることで、周波数の領域の違いにおける音の大きさによって、検出を行える。回転機器１００の不具合の予兆は、その音の変化によって分かることが多く、音の変化は、周波数ごとでの音の大きさの変化や違いに依るからである。
【００７９】
従来技術で説明したように、回転機器の不具合を検出するために、職人的技能を有する技術者が回転機器の音を聴覚で確認していた。この回転機器の音の確認においては、音の違いや変化（音の高低の違い）を把握していた。この把握によって、不具合の予兆を検出していた。
【００８０】
実施の形態１の監視装置１も、生成部５で周波数軸とゲイン軸との関係に音データを変換してから特定指標値を生成しているので、この技能者による作業を近似していると言える。この点でも、実施の形態１における監視装置１は、正確に回転機器１００の不具合を検出できる。
【００８１】
生成部５で生成された特定指標値に基づいて、閾値算出部６は、閾値を算出する。閾値は、特定指標値が、あるべき状態から外れている場合を不具合として検出するための基準である。このため、閾値は、特定指標値から生成されることが適当である。特定指標値が積算等されることで、回転機器１００の標準的な状態を把握できるからである。この標準的な状態を、閾値として表すことができる。
【００８２】
閾値算出部６は、特定指標値から、閾値を算出し、検出部７に出力する。
【００８３】
検出部７は、閾値算出部６から出力された閾値と、生成部５から出力された特定指標値とを比較して、回転機器１００の不具合の予兆（以下、必要に応じて「不具合」という）を、検出する。例えば、ある特定指標値が閾値よりも大きい場合には、回転機器１００に不具合があると判断する。
【００８４】
このとき、検出部７は、回転機器１００の不具合の予兆を、注意レベル、警告レベルなどの段階に応じて判断してもよい。
【００８５】
監視装置１は、回転機器１００の音を収集した上で、このようにして不具合を検出する。不具合が検出されれば、それに応じた対応を行うことができ、監視が実現できる。また、収集部３以外については、回転機器１００から離隔した場所でも処理が可能であるので、遠隔での監視も実現できる。
【００８６】
（離散した特定周波数での特定指標値による検出）
生成部５が生成する特定指標値は、図４のように周波数軸とゲイン軸との関係で音データを変換して得られる。このとき、特定指標値は、離散した複数の特定周波数におけるゲインを基礎とする第１変換値であることも好適である。
【００８７】
図５は、本発明の実施の形態１における特定指標値を示すグラフである。図５においては、１００Ｈｚずつに離散した複数の特定周波数（図５では、１００Ｈｚ、２００Ｈｚ、３００Ｈｚ・・・）におけるゲインの大きさを、特定指標値５１としている。すなわち、それぞれの特定周波数での、音データの大きさを、特定指標値５１の大きさとして表している。
【００８８】
閾値算出部６が算出した閾値と、この特定指標値５１との大きさの比較に基づいて、検出部７は、不具合を検出する。例えば、閾値があるレベルである場合に、このレベルよりも高いゲインを有する特定指標値５１が存在していれば、回転機器１００には不具合があると検出される。
【００８９】
図５のグラフでは、閾値が示されている。この閾値を基準とすると、３００Ｈｚと６００Ｈｚにおいて、音データの大きさ（ゲイン）が、閾値を超えている。検出部７は、この比較結果に基づいて、回転機器１００に不具合の予兆があると判断することができる。
【００９０】
このとき、検出部７は、（１）特定周波数のいずれかの周波数での音データの大きさが、閾値を超えているか、（２）特定周波数のすべてお周波数での音データの大きさが閾値を超えているか、（３）特定周波数のいずれかもしくはすべての周波数での音データの大きさが、一定値以上閾値を超えているか、（４）閾値を超えている大きさの積算が、一定以上であるか、などの基準で、回転機器１００の不具合を判断してもよい。
【００９１】
（１／３オクターブバンド中心周波数での等価騒音レベル）
第１変換値は、１／３オクターブバンド中心周波数での等価騒音レベルの定義で生成されることも好適である。
【００９２】
オクターブバンドとは、ある周波数を中心として、上限周波数と下限周波数との比が１オクターブとなる周波数帯域のことである。この中心となる周波数を、オクターブバンド中心周波数という。オクターブバンドを１／３にしたものを１／３オクターブバンド、１／１２にしたものを１／１２オクターブバンドという。
【００９３】
すなわち、１／３オクターブバンドの中心となる周波数が、１／３オクターブバンド中心周波数である。これらに合わせたフィルタが、１／３オクターブバンドフィルタである。
【００９４】
ここで、中心周波数をｆｍ、下限周波数をｆ１、上限周波数をｆ２とすると、１／３オクターブバンドフィルタは、図６のように表される。図６は、１／３オクターブバンドフィルタの概念図である。１／３オクターブバンドフィルタは、図６に示される周波数特性を有している。
【００９５】
生成部５は、収集部３で収集された音データに、図６の特性を有するフィルタを乗算することで、１／３オクターブバンドフィルタで得られる周波数軸とゲイン軸との関係の音データを得る準備ができる。この１／３オクターブバンドフィルタによって得られる音データは、騒音を把握する指標として利用される。
【００９６】
生成部５は、この１／３オクターブバンドフィルタを用いて、１／３オクターブバンド中心周波数での等価騒音レベルで定義される特定指標値を生成する。閾値算出部６は、この１／３オクターブバンド中心周波数での等価騒音レベルでの特定指標値に基づいて、閾値を算出する。検出部７は、この特定指標値と閾値との比較により、回転機器１００の不具合を検出する。
【００９７】
図７は、１／３オクターブバンドフィルタの中心周波数と通過帯域を示す。この１／３オクターブバンドフィルタ中心周波数毎の等価騒音レベルによって、監視装置１は、回転機器１００の不具合を検出する。以下に、１／３オクターブバンドフィルタ中心周波数毎の等価騒音レベルでの処理を説明する。
【００９８】
（ステップ１：音の収集）
収集部３は、所定時刻（予め定められた時間間隔に応じてもよいし、指定されたランダムな時刻でもよい）に、回転機器１００の音（音圧）を測定する。音圧は、Ｐ（ｔ）として測定される（単位は、Ｖ）。
【００９９】
（ステップ２：感度補正）
収集部３は、マイクなどの機器を用いて音を測定する。このとき、マイクには、機器特有の感度があり、この感度を補正することが好ましい場合がある。ステップ２では、ステップ１で測定された音を、感度補正する。
【０１００】
感度補正によってステップ１で測定された音Ｐ（ｔ）［Ｖ］は、Ｐ´（ｔ）［Ｐａ］として変換される。感度補正は次の数１によって実行されればよい。このステップ２により、音データＰ´（ｔ）［Ｐａ］が得られる。
【０１０１】
【数１】
2018040605.tif 000003
【０１０２】
（ステップ３：１／３オクターブバンドフィルタの乗算）
ステップ２で得られた音データＰ´（ｔ）［Ｐａ］に、図６で説明した１／３オクターブバンドフィルタが乗算される。この乗算によりＰｆｍ（ｔ）が得られる。ここで、ｆｍは、１／３オクターブバンドフィルタの中心周波数である。
【０１０３】
（ステップ４：二乗平均）
ステップ４では、ステップ３で得られた１／３オクターブバンド中心周波数毎で得られた結果の二乗平均を算出する。算出して得られる二乗平均値は、Ｐｆｍｅｑ，ｔである。次の数２によって、二乗平均は算出される。
【０１０４】
【数２】
2018040605.tif 000004
【０１０５】
Ｐｆｍｅｑ，ｔ  ：  １／３オクターブバンド中心周波数ｆｍ毎の音の二乗平均値（パワー平均値）
Ｐｆｍ（ｔ）  ：  １／３オクターブバンド中心周波数ｆｍでの音（音のゲイン）
ｆｓ  ：  サンプリング周波数
ｔ  ：  測定時間
Ｔ１  ：  測定開始時間
Ｔ２  ：  測定終了時間
N：サンプル数  N=t/Δｔ
Δｔ  ：  時間の分解能
【０１０６】
（ステップ５：等価騒音レベルの算出）
ステップ５では、ステップ４で得られた二乗平均値から、１／３オクターブバンドフィルタ中心周波数毎の等価騒音レベルを算出する。この算出においては、次の数３によって実行される。
【０１０７】
【数３】
2018040605.tif 000005
【０１０８】
このステップ５での等価騒音レベルの算出は、ステップ４で得られた二乗平均の単位系の変換処理といえる。すなわち、ステップ４では単位系はＰａ（パスカル）として算出されるが、単位系がＰａでは、閾値算出部６や検出部７で取り扱いにくい。
【０１０９】
このため、ステップ５において単位系をｄＢ（デシベル）に変換する。数３によって、単位系の変換が実行でき、ｄＢを単位系とする１／３オクターブバンドフィルタ中心周波数毎の等価騒音レベルが算出できる。
【０１１０】
これらのステップ１〜ステップ５によって、生成部５は、測定した回転機器１００の音（音データ）から、１／３オクターブバンド中心周波数における等価騒音レベルを算出できる。この算出された結果は、周波数軸とゲイン軸との関係による特定指標値の一つである。周波数軸において、１／３オクターブバンド中心周波数毎に、音の大きさ（ゲイン）が並んだ状態のものが得られる。
【０１１１】
これらのステップ１〜５の処理によって得られる１／３オクターブバンド中心周波数における等価騒音レベルの一例を、図８に示す。図８は、本発明の実施の形態１における１／３オクターブバンド中心周波数における等価騒音レベルの一例を示すグラフである。
【０１１２】
図８のグラフのように、１／３オクターブバンド中心周波数のそれぞれでの音のゲインが示されており、１／３オクターブバンド中心周波数毎での音の状態を把握することができる。
【０１１３】
図６において説明したように、１／３オクターブバンド中心周波数における等価騒音レベルは、騒音を把握するのに適したモデルである。このモデルを回転機器１００の不具合の予兆検出に適用することで、回転機器１００の不具合を検出することができるようになる。
【０１１４】
「離散した特定周波数での特定指標値による検出」で説明した特定周波数は、この１／３オクターブバンド中心周波数と同じであってもよい。すなわち、生成部５は、１／３オクターブバンド中心周波数を用いることで、収集部３で収集された音を周波数軸とゲイン軸との関係である特定指標値を生成できる。
【０１１５】
また、１／３オクターブバンド中心周波数における等価騒音レベルだけでなく、１／１オクターブバンド中心周波数における等価騒音レベルや、１／１２オクターブバンド中心周波数における等価騒音レベルを利用して、特定指標値を生成してもよい。
【０１１６】
図８に並んでいるヒストグラムのそれぞれが、特定指標値として扱われる。
【０１１７】
（ステップ６：閾値算出）
図８に示されるヒストグラムは、ある時刻に算出した音に基づいて生成された特定指標値（１／３オクターブバンド中心周波数における等価騒音レベル）である。収集部３および生成部５は、異なる時刻でこのような特定指標値を生成し、これを閾値算出部６に出力する。
【０１１８】
すなわち、ある期間において、複数の異なる時刻でステップ１〜ステップ５が繰り返されて、図８のような１／３オクターブバンド中心周波数における等価騒音レベルが算出される。この異なる時刻でのそれぞれの１／３オクターブバンド中心周波数における等価騒音レベルが、閾値算出部６に出力される。
【０１１９】
閾値算出部６は、複数の１／３オクターブバンド中心周波数における等価騒音レベルの積算値もしくは平均値を、閾値として算出する。もちろん、生成部５が生成する特定指標値が、別の態様のものであれば、その特定指標値の積算値もしくは平均値を、閾値として算出する。
【０１２０】
図９は、本発明の実施の形態１における閾値算出部での閾値の算出を示す模式図である。ある期間における異なる時刻に算出された複数の１／３オクターブバンド中心周波数における等価騒音レベルの結果を、閾値算出部６は受ける。図９では、イメージとして、複数の異なる時刻での１／３オクターブバンド中心周波数における等価騒音レベルの結果を受けている。
【０１２１】
閾値算出部６は、この複数の１／３オクターブバンド中心周波数における等価騒音レベルの結果を積算、もしくは平均して閾値を決定する。閾値も、ｄＢを単位として算出されるので、検出部７においては、ｄＢを単位とする特定指標値である１／３オクターブバンド中心周波数における等価騒音レベルと比較が行われる。
【０１２２】
ここで、閾値算出部６では、所定期間における特定指標値（１／３オクターブバンド中心周波数における等価騒音レベル）の積算値もしくは平均値を閾値とする。この所定期間は、監視装置１の運用および回転機器１００の運用などに基づいて、適宜定められれば良い。
【０１２３】
一例として、監視対象である回転機器１００の不具合を検出するための時刻より前の期間であることもよい。すなわち、回転機器１００の不具合検出を実施するために特定指標値を算出するタイミングより以前の期間を所定期間とする。この結果、不具合検出を行うタイミングの前に、閾値が算出されている状態となり、処理が容易となる。
【０１２４】
別の例として、予め定められたタイミングに基づいて所定期間とされてもよい。回転機器１００の特性に合わせてある時間範囲を所定期間とすることで、回転機器１００の不具合を検出するための閾値を、適正に算出できる。
【０１２５】
このように算出された閾値を、閾値算出部６は、検出部７に出力する。
【０１２６】
（ステップ７：不具合の検出（判定））
検出部７は、閾値と特定指標値を受ける。ここでは、特定指標値として１／３オクターブバンド中心周波数における等価騒音レベルの結果を受ける。この結果と閾値とを比較して、回転機器１００の不具合を検出する。
【０１２７】
図１０は、本発明の実施の形態１における検出部での検出を示す模式図である。
【０１２８】
図１０では、生成部５で生成されたある時刻での１／３オクターブバンド中心周波数における等価騒音レベルの結果である。１／３オクターブバンド中心周波数に従って、それぞれの中心周波数での音のレベルが、ヒストグラムで表されている。
【０１２９】
閾値は、グラフ中に示されている。この閾値と中心周波数毎でのレベルとを比較する。この比較によって、検出部７は、不具合を判定する。
【０１３０】
このとき、判定方法は、様々であってもよい。いくつかの例を説明する。
【０１３１】
（例１：閾値とレベルとの単純比較）
例１としては、閾値とレベルとを単純に比較することがある。図１０では、１／３オクターブバンド中心周波数における等価騒音レベルのグラフに閾値を記している。検出部７は、グラフ中の複数の中心周波数のいずれかの音のレベルが閾値を超えている場合には、回転機器１００に不具合の予兆があるものと判定する。
【０１３２】
図１０では、いくつかの中心周波数での音のレベルが、閾値を超えている。このような状態では、検出部７は、回転機器１００に不具合があると判定する。
【０１３３】
（例２：一定数以上の中心周波数が閾値を超えている）
例２としては、レベルと閾値を比較するが、閾値を超えているレベルを有する中心周波数が一定数以上である場合に、検出部７は、回転機器１００に不具合があると判定する。
【０１３４】
図１０では、閾値を超えるレベルを有する中心周波数は、６個である。このとき、一定数を１０個とすると、図１０の状態では、検出部７は、不具合が無いと判定する。一方で、一定数を５個とすると、図１０の状態を、検出部７は、不具合があると判定する。
【０１３５】
あるいは、すべての中心周波数でのレベルが閾値を超えている場合のみ不具合があると判定してもよい。
【０１３６】
（例３：ある中心周波数が閾値を超えている）
例３としては、異なる複数の中心周波数の内、特定の中心周波数での音のレベルが閾値を超えている場合に、検出部７は不具合があると判定する。図１０に示されるように、１／３オクターブバンド中心周波数における等価騒音レベルは、それぞれの中心周波数において音のレベルを有している（図１０のヒストグラムの通りである）。
【０１３７】
このうち、決められたある中心周波数の音のレベルが閾値を超えている場合に、検出部７は、回転機器１００に不具合があると判定する。例１、例２と異なり、定められた特定の中心周波数のレベルが閾値を超えていれば、不具合があると検出する。特定の周波数の音に大きな変化があれば、回転機器１００に不具合があり得るとしての判定であるので、回転機器１００の問題把握に適している。
【０１３８】
（例４：閾値の割合での比較）
例１〜例３では、閾値と音のレベルを直接比較したが、例えば閾値８０％と音のレベルを比較することで、不具合を検出することでもよい。いずれかの中心周波数での音のレベルが閾値の８０％を超えている場合に、検出部７は、不具合を検出する。
【０１３９】
この場合、検出部７は、閾値の８０％以上である場合には、「注意」として判定し、１００％以上である場合には、「警告」として判定するなど、複数段階での判定を行うことも好適である。
【０１４０】
例４は、例１〜例３のいずれかのように、一つの中心周波数での音のレベルとの比較でも、一定数以上の中心周波数の音のレベルとの比較でも、特定の中心周波数の音のレベルとの比較でも、いずれも適用できる。閾値のある割合での比較、段階的な判定を、例１〜例３と組み合わせることでもよい。
【０１４１】
このように、検出部７は、段階的な判定を行うことも好適である。ここでは、注意、警告の２段階を説明したが、これ以外にも、修理必要などの段階での判定を入れてもよい。
以上のように、１／３オクターブバンド中心周波数における等価騒音レベルを用いた監視装置１による不具合の監視により、実際に適した回転機器１００の不具合検出が可能となる。
【０１４２】
図１１に、発明者が行った実際の例を示す。図１１は、本発明の実施の形態１における実際の処理結果を示すグラフである。図１１では、上に、ある回転機器での検出時の１／３オクターブバンド中心周波数における等価騒音レベルでの検出結果を示すグラフが示されている。図１１の下側は、上側の回転機器について、修理等の対応を行った後の１／３オクターブバンド中心周波数における等価騒音レベルでの検出結果のグラフが示されている。
【０１４３】
検出時には、閾値を超える音のレベルが複数の中心周波数で見られた。この結果、対象となる回転機器に不具合があるものと推定された。この回転機器を修理等の対応を施した後では、下側のグラフの通り、閾値を超える音のレベルが軽減された。すなわち、修理等の対応がなされた場合には、閾値を超える音のレベルが少ないと言える。
【０１４４】
このように、１／３オクターブバンド中心周波数における等価騒音レベルを用いることで、回転機器１００の不具合を確実に検出できることが確かめられた。
【０１４５】
例えば、収集部３で収集された音そのものであったり、作業者が自身の耳で感じた音のみであったりで、このような回転機器の不具合を感じ取ることが考えられる。しかしながら、人の耳の感度は、音の周波数帯域によって異なる。周波数帯域によっては、高い感度で聞き取れるが、周波数帯域によっては、低い感度で音を聞き取ることになる。このため、すべての帯域において、正確かつ精度よく音を聞き取れない。これは、収集部３で収集した生の音データでも同様である。
【０１４６】
これに対して、１／３オクターブバンド中心周波数における等価騒音レベルは、感度の相違に依存せず、収集部３で収集された音データのゲインを、周波数毎に正確に表すことができる。よって、音データを基点として、正確に回転機器１００の不具合を検出できる。
【０１４７】
なお、収集部３における音データの収集においては、耳の感度の特性に応じた、適当な感度補正を行うことも好適である。
【０１４８】
（周波数スペクトルレベルへの変換）
１／３オクターブバンド中心周波数における等価騒音レベル以外にも、周波数スペクトルレベルへの変換を特定指標値であるとして利用することも好適である。以下に、その処理を説明する。
【０１４９】
（ステップ２−３：ＦＦＴ時間窓の算出）
１／３オクターブバンド中心周波数における等価騒音レベルでのステップ１、ステップ２の後で、得られた音データにＦＦＴ（高速フーリエ変換）を施す際の、ＦＦＴ時間窓の長さを算出する。
【０１５０】
【数４】
2018040605.tif 000006
【０１５１】
ｔ  ：  ＦＦＴ窓の長さ［Ｓ］
Ｎ  ：  サンプリング点数
Ｆｓ  ：  サンプリング周波数［Ｈｚ］
Δｔ  ：  サンプリング時間［ｓ］
【０１５２】
数４に従って、ＦＦＴ時間窓の長さが算出される。
【０１５３】
（ステップ２−４：Ｐｎ（ｔ）の算出）
次いで、ステップ２で得られた感度補正後の音データを、ＦＦＴ時間窓の長さで分割し、Ｐｎ（ｔ）を算出する。オーバーラップ値を５０％（可変可能）とする。
【０１５４】
（ステップ２−５：ＦＦＴ処理の実行）
ステップ２−４で得られたＰｎ（ｔ）に窓関数を乗算してＦＦＴ処理を実行し、Ｘｎ（ｆ）を算出する。このとき、下記の数５を利用して算出を行う。
【０１５５】
【数５】
2018040605.tif 000007
【０１５６】
Ｘｎ（ｆ）  ：  周波数スペクトル［Ｐａ］
ｆ  ：  周波数
【０１５７】
（ステップ２−６：二乗平均の算出）
ステップ２−５で得られたＸｎ（ｆ）の複素数の絶対値を算出し、二乗平均値を算出する。
【０１５８】
（ステップ２−７：周波数スペクトルレベルの算出）
ステップ２−７において、周波数スペクトルレベルＸ（ｆ）［ｄＢ］を算出する。このとき、下記の数６を用いて算出を行う。
【０１５９】
【数６】
2018040605.tif 000008
【０１６０】
Ｘ（ｆ）：  周波数スペクトルレベル［ｄＢ］
Ｘ（ｆ）＾２  ：  周波数スペクトルの二乗平均値
Ｐａ  ：  基準音レベル  ２．０  ×  １０−５［Ｐａ］
【０１６１】
このステップ２−７によって、収集された音の周波数スペクトルレベルが算出される。この算出された周波数スペクトルレベルは、図１２に示されるように表される。図１２は、本発明の実施の形態１における周波数スペクトルレベルのグラフである。
【０１６２】
ある時刻において収集された回転機器１００の音が、図１２のような態様に変換される。生成部５は、このような周波数スペクトルレベルで示される特定指標値を生成する。
【０１６３】
生成部５が生成した特定指標値としての周波数スペクトルレベルは、閾値算出部６および検出部７に出力される。閾値算出部６は、複数の時刻で算出された周波数スペクトルレベルの特定指標値を積算もしくは平均する。この結果で、閾値を算出する。
【０１６４】
検出部７は、閾値と周波数スペクトルレベルで表される特定指標値を比較して、回転機器１００の不具合を判定して検出する。検出は、１／３オクターブバンド中心周波数における等価騒音レベルでの検出で説明したものと同様である。閾値算出も同様である。
【０１６５】
このように、周波数スペクトルレベルを特定指標値とすることでも、回転機器１００の不具合を高い精度で検出できる。
【０１６６】
ここで、周波数スペクトルレベルは、収集部３で収集された生の音データに近い。このため、ある時点での周波数スペクトルレベルは、その時点における音の大きさを十分に表している。ある時点での音の大きさを確認できる。等価騒音レベルは、特定周波数の変化で異常をとらえるのに対し、周波数スペクトルは音の大きさの経年変化をとらえることができる。
【０１６７】
この結果、周波数スペクトルレベルを用いることで、回転機器１００の完全破壊までの時間である経年劣化を、より分かり易く把握できる。経年劣化を見ることで、交換や修理までの時間余裕度を把握でき、計画保全が可能となり、コスト削減にもつながる。
【０１６８】
以上、実施の形態１における監視装置１は、周波数軸とゲイン軸との関係で収集した音をあらわすことで、回転機器１００の不具合の予兆を、高い精度で検出できる。特に、従来技術で説明したように、回転機器１００の音の変化を聴覚で確認するアルゴリズムを踏まえたものであるので、極めて精度が高い。従来の人的作業と同じ概念での処理であることで、回転機器１００を備える工場やこれをメンテナンスする事業者にとっても受け入れやすいメリットがある。
【０１６９】
（実施の形態２）
【０１７０】
次に、実施の形態２について説明する。
【０１７１】
実施の形態２では、種々の要素の工夫や別バージョンについて説明する。
【０１７２】
（収集部）
収集部３は、実施の形態１で説明されたように、回転機器１００の音を収集する。音とは音のレベルであって、音圧として把握されてもよい。
【０１７３】
ここで、収集部３は、この音に加えて、回転機器１００の振動数を合わせて収集してもよい。振動数は、回転機器１００の状態によって変化しうるからである。実施の形態１で説明したように、音については、１／３オクターブバンド中心周波数における等価騒音レベルのような周波数軸とゲイン軸との関係に変換して、回転機器１００の不具合を検出できる。
【０１７４】
収集部３が収集した振動数は、この音に基づく特定指標値の生成において加味して使用されてもよい。あるいは、振動数についても、周波数軸とゲイン軸との関係の特定指標値に変換して別の特定指標値が生成されてもよい。
【０１７５】
後者の場合には、音に基づく特定指標値と振動数に基づく特定指標値のそれぞれについて、検出部７は閾値と比較する。それぞれの比較によって、検出部７は、回転機器１００の不具合を検出する。
【０１７６】
振動数も加味することで、より高い精度での検出が可能となる。
【０１７７】
振動数は、ある部位をピンポイントで異常であるとの検出が可能である。すなわち、回転機器１００の不具合箇所をピンポイントで把握できるメリットがある。周波数を用いた上述の不具合検出に合わせて、振動数での検出を行うことで、不具合の存在、不具合箇所の特定、との判断が可能となる。
【０１７８】
（検出部での複数段階検出）
検出部７は、複数の段階で不具合を検出してもよい。実施の形態１でも説明した通り、検出部７は、特定指標値と閾値との比較により、複数の段階で不具合の予兆を検出する際に、比較結果に応じて、「注意」、「警告」、「修理必要」などの段階で、検出することも好適である。
【０１７９】
例えば、閾値と特定指標値との差分の大きさで、注意や警告の段階を分けてもよい。あるいは、閾値を超えている特定指標値の大きさや数によって、注意や警告の段階を分けてもよい。
【０１８０】
あるいは、複数の閾値を設けることで、注意や警告といった段階での検出としてもよい。複数の閾値との比較結果のそれぞれに応じて、回転機器１００を、注意として判定したり、警告として判定したりできる。
【０１８１】
（通知部）
図１３は、本発明の実施の形態２における監視装置のブロック図である。図１３では、通知部８が追加されている。
【０１８２】
検出部７で検出された結果を、通知部８は通知する。例えば、監視装置１を運用する運用者や回転機器１００の管理者に、通知部８は、検出結果を通知する。上述の通り、回転機器１００の不具合の予兆は、回転機器１００のメンテナンスや修理の計画に必要となる。これらの計画や実施を行う運用者や管理者にとっては、この検出結果が重要である。
【０１８３】
通知部８は、種々の手段で、検出結果を通知する。例えば、音声、データ、電子メール、インターネット経由の通知、など、様々な手段で検出結果を通知する。これらの通知によって、運用者や管理者は、検出結果を即座に把握でき、対応を早期に検討することができる。
【０１８４】
（検出における状況判定）
検出部７は、実施の形態１で説明したように、回転機器１００の不具合の予兆を検出する。１／３オクターブバンド中心周波数における等価騒音レベルのような特定指標値と閾値の比較により、この検出を行う。
【０１８５】
ここで、検出部７は、周波数軸とゲイン軸との関係で示される特定指標値と閾値の比較において、閾値を超えている周波数によって、回転機器１００の不具合の内容を判定することも好適である。
【０１８６】
例えば、高周波帯域でのレベルが閾値を超えている場合には、回転機器１００のある部分に不具合があると判定し、低周波帯域でのレベルが閾値を超えている場合には、回転機器１００の別の部分に不具合があると判定する。
【０１８７】
これらの判定によって、監視装置１は、回転機器１００に不具合があることだけでなく、どのような不具合があるかも含めて検出して通知できる。この通知を受けた運用者や管理者は、回転機器１００の状況をより詳細に把握できる。
【０１８８】
以上のように、実施の形態２における監視装置１は、よりプラスメリットを生じさせることができる。
【０１８９】
なお、実施の形態１〜２で説明された回転機器の監視装置は、本発明の趣旨を説明する一例であり、本発明の趣旨を逸脱しない範囲での変形や改造を含む。
【符号の説明】
【０１９０】
１    監視装置
３    収集部
４    サーバー
５    生成部
６    閾値算出部
７    検出部
８    通知部
【図１】
2018040605.tif 000009
【図２】
2018040605.tif 000010
【図３】
2018040605.tif 000011
【図４】
2018040605.tif 000012
【図５】
2018040605.tif 000013
【図６】
2018040605.tif 000014
【図７】
2018040605.tif 000015
【図８】
2018040605.tif 000016
【図９】
2018040605.tif 000017
【図１０】
2018040605.tif 000018
【図１１】
2018040605.tif 000019
【図１２】
2018040605.tif 000020
【図１３】
2018040605.tif 000021